(57)【要約】写真を要求する撮影要求モードにおいて第1ユーザにより操作され得ると共にピクチャを撮影する撮影応答モードにおいて動作可能なプログラムされた携帯電話などの第1通信デバイス。上記撮影要求モードにあるときには、上記第1ユーザの写真が所望されることを表す撮影要求信号が、上記撮影応答モードで動作可能な少なくとも一台の第2通信デバイスに対して送信される。上記撮影応答モードに在るときには、撮影要求信号が受信されたときに上記第1ユーザに対して表示器がアラートを与えることから、該第1ユーザは上記少なくとも一台の第2通信デバイスの第2ユーザを写真撮影し得る。
2006516844.tif 000002
【特許請求の範囲】
【請求項１】
ユーザにより撮影要求モードにて操作可能なプログラムされた第1通信デバイスであって、
前記第1通信デバイスが前記撮影要求モードにあるか否かを決定するプログラム・コードと、
前記第1通信デバイスが前記撮影要求モードにあるとの決定に応答して、前記ユーザの少なくとも一枚の写真が所望されることを示す第1撮影要求信号を生成するプログラム・コードと、
前記第1撮影要求信号を少なくとも一台の第2通信デバイスに対して送信すべく構成された送信器とを備える、
プログラムされた第1通信デバイス。
【請求項２】
前記第1通信デバイスは、該第1通信デバイスが前記撮影要求モードにあるか否かを決定するプログラム・コードを更に備え、且つ、
前記の生成用のプログラム・コードは、前記第1通信デバイスが前記撮影要求モードにあるとの決定に応答して前記第1撮影要求信号を生成すべく構成される、請求項１記載の第1通信デバイス。
【請求項３】
前記第1通信デバイスは、携帯電話、通信機、マルチメディア電話機、パーソナル・デジタル・アシスタントおよびゲーム用デバイスの内から選択されたデバイスである、請求項１記載の第1通信デバイス。
【請求項４】
前記送信器は、前記少なくとも一台の第2通信デバイスに対して直接的に前記第1撮影要求信号を送信すべく構成される、請求項１記載の第1通信デバイス。
【請求項５】
前記送信器は、前記少なくとも一台の第2通信デバイスに対してセルラネットワークを介して前記第1撮影要求信号を送信すべく構成される、請求項１記載の第1通信デバイス。
【請求項６】
前記第1撮影要求信号は、前記第1ユーザが後時的に回収するために、前記第1ユーザを撮影した写真が転送される宛先アドレスを含み、該宛先アドレスは、前記第1通信デバイスの電話番号、電子メール・アドレス、および、インターネット・ウェブ・サイト・アドレスの内から選択された宛先アドレスを定義する、請求項１記載の第1通信デバイス。
【請求項７】
前記ユーザは第1ユーザであり、且つ、
前記第1撮影要求信号は、前記第2通信デバイスの第2ユーザが前記第1ユーザを識別するための該第1ユーザのイメージを含む、請求項１記載の第1通信デバイス。
【請求項８】
前記ユーザは第1ユーザであり、且つ、
当該第1通信デバイスは、前記第2通信デバイスの第2ユーザに対して上記第1ユーザを識別する視覚的信号を生成する視覚的表示器を更に備える、請求項１記載の第1通信デバイス。
【請求項９】
前記第1撮影要求信号は、該第1撮影要求信号に応答して前記少なくとも一台の第2通信デバイスにより所定時間間隔当たりに撮影され得るピクチャの枚数を限定するメッセージ・データを含む、請求項１記載の第1通信デバイス。
【請求項１０】
前記第1撮影要求信号は、前記ユーザの前記写真の送信に必要な通信時間に関して前記第1ユーザに課金することをネットワークに対して指示するメッセージ・データを更に備える、請求項１記載の第1通信デバイス。
【請求項１１】
前記の撮影要求信号を生成する前記プログラム・コードは、地理的領域を定義する地理的制限データであって該地理的領域内に前記第2通信デバイスが位置されるとき該第2通信デバイスのカメラを無効化するための地理的制限データを、前記撮影要求信号内に含めるプログラム・コードを更に備える、請求項１記載の第1通信デバイス。
【請求項１２】
前記撮影要求信号を生成する前記プログラム・コードは、地理的領域を定義する地理的制限データであって該地理的領域内に前記第2通信デバイスが位置され且つ該第2通信デバイスが該地理的領域の区域であって該地理的制限データにより定義される区域内のピクチャを撮影すべく配向されるとき該第2通信デバイスのカメラを無効化するための地理的制限データを、前記撮影要求信号内に含めるプログラム・コードを更に備える、請求項１記載の第1通信デバイス。
【請求項１３】
前記ユーザは第1ユーザであり、
前記第1通信デバイスは更に撮影応答モードにて動作可能であり、且つ、
該第1通信デバイスは、
該第1通信デバイスに接続されたカメラと、
前記少なくとも一台の第2通信デバイスにより送信された第2撮影要求信号を受信すべく構成された受信器と、
前記第2撮影要求信号の受信に応答して、上記カメラにより前記少なくとも一台の第2通信デバイスの第2ユーザの写真を撮影するためのアラートを前記第1ユーザに対して生成するプログラム・コードと、
を更に備えて成る、請求項１記載の第1通信デバイス。
【請求項１４】
前記第1通信デバイスは、該第1通信デバイスが前記撮影応答モードにあるか否かを決定するプログラム・コードを更に備え、且つ、
前記受信器は、前記第1通信デバイスが前記撮影応答モードにあるとの決定に応答して、前記少なくとも一台の第2通信デバイスにより送信された前記第2撮影要求信号を受信すべく構成される、請求項１３記載の第1通信デバイス。
【請求項１５】
前記カメラは前記第1通信デバイスに一体化される、請求項１３記載の第1通信デバイス。
【請求項１６】
前記カメラは前記第1通信デバイスと別体のユニットである、請求項１３記載の第1通信デバイス。
【請求項１７】
前記アラートは、可聴的アラート、可視的アラートおよび振動的アラートのうちの少なくともひとつである、請求項１３記載の第1通信デバイス。
【請求項１８】
前記第2撮影要求信号の受信に応答して、該第2撮影要求信号が前記第1通信デバイスにより受信されたことを示す確認信号を前記少なくとも一台の第2通信デバイスに対して生成するプログラム・コードを更に備える、請求項１３記載の第1通信デバイス。
【請求項１９】
前記第2撮影要求信号の受信に応答して撮影された写真を送信し且つ削除するプログラム・コードを更に備える、請求項１３記載の第1通信デバイス。
【請求項２０】
前記第2撮影要求信号の受信に応答して撮影された写真を該第2撮影要求信号内に提供された宛先アドレスに対して送信するプログラム・コードと、
前記写真が送信された後に該写真および上記宛先アドレスを削除するプログラム・コードとを更に備える、請求項１３記載の第1通信デバイス。
【請求項２１】
前記第2撮影要求信号の受信に応答して撮影された写真を該第2撮影要求信号内に提供された宛先アドレスに対して送信するプログラム・コードと、
前記写真が送信された後に該写真を削除するプログラム・コードとを更に備える、請求項１３記載の第1通信デバイス。
【請求項２２】
前記第2撮影要求信号の受信に応答して撮影された写真を、該第2撮影要求信号内に提供された宛先アドレスであって前記第1通信デバイスの電話番号、電子メール・アドレスおよびインターネット・ウェブ・サイトの内から選択された宛先アドレスに対して送信するプログラム・コードと、
前記写真が送信された後に該写真および上記宛先アドレスを削除するプログラム・コードとを更に備える、請求項１３記載の第1通信デバイス。
【請求項２３】
前記第1通信デバイスが位置する地理的領域を決定する全地球測位システム(GPS)と、
地理的制限データを備えた前記第2撮影要求信号に応答するプログラム・コードであって、前記第1通信デバイスが前記地理的制限データにより定義される地理的領域内に位置するとき前記カメラを無効化するためのプログラム・コードとを更に備える、請求項１３記載の第1通信デバイス。
【請求項２４】
前記第1通信デバイスが位置する地理的領域を決定する全地球測位システム(GPS)と、
前記カメラが写真を撮影するために配向される方向を決定するコンパスと、
地理的制限データを備えた前記第2撮影要求信号に応答するプログラム・コードであって、前記第1通信デバイスが前記地理的無効化メッセージにより定義される地理的領域内に位置し且つ前記第1通信デバイスが前記地理的領域の区域であって前記地理的制限データにより定義される区域内の写真を撮影すべく配向されるとき前記カメラを無効化するためのプログラム・コードとを更に備える、請求項１３記載の第1通信デバイス。
【請求項２５】
前記第1通信デバイスは前記撮影要求モードおよび前記撮影応答モードにおいて同時に動作可能である、請求項１３記載の第1通信デバイス。
【請求項２６】
前記第1通信デバイスは前記撮影要求モードであるか否かとは関係なく前記撮影応答モードで動作可能である、請求項１３記載の第1通信デバイス。
【請求項２７】
写真を要求する第1ユーザにより撮影要求モードにて操作可能な第1通信デバイスにより実行される方法であって、
前記第1ユーザの写真が所望されることを表す第1撮影要求信号を生成する段階と、
前記第1撮影要求信号を少なくとも一台の第2通信デバイスに対して送信する段階と、
を有する方法。
【請求項２８】
前記第1通信デバイスが前記撮影要求モードにあるか否かを決定する段階を更に有し、且つ、
前記の第1撮影要求信号を生成する段階は、前記第1通信デバイスが前記撮影要求モードにあるとの決定に応答して実行される、請求項２７記載の方法。
【請求項２９】
前記第1通信デバイスは、携帯電話、通信機、マルチメディア電話機、パーソナル・デジタル・アシスタントおよびゲーム用デバイスの内から選択されたデバイスである、請求項２７記載の方法。
【請求項３０】
前記の送信する段階は、前記第1撮影要求信号を前記少なくとも一台の第2通信デバイスに対して直接的に送信する段階を有する請求項２７記載の方法。
【請求項３１】
前記の送信する段階は、前記少なくとも一台の第2通信デバイスに対してセルラネットワークを介して前記第1撮影要求信号を送信する段階を有する請求項２７記載の方法。
【請求項３２】
前記第1撮影要求信号は、前記第1ユーザが後時的に回収するために、該第1ユーザの写真が転送される宛先アドレスを含み、該宛先アドレスは、前記第1通信デバイスの電話番号、電子メール・アドレス、および、インターネット・ウェブ・サイト・アドレスの内から選択される宛先アドレスを定義する、請求項２７記載の方法。
【請求項３３】
前記ユーザは第1ユーザであり、且つ、
前記第1撮影要求信号を生成する前記の段階は、前記第2通信デバイスの第2ユーザが前記第1ユーザを識別するための該第1ユーザのイメージを前記第1撮影要求信号に添付する段階を含む、請求項２７記載の方法。
【請求項３４】
前記少なくとも一台の第2通信デバイスが前記第1撮影要求信号に応答して所定時間間隔当たりに撮影することができるピクチャの枚数を限定する段階を更に備える、請求項２７記載の方法。
【請求項３５】
前記第1撮影要求信号は、前記第1ユーザの前記写真の送信に必要な通信時間に関して前記第1ユーザに課金することをネットワークに対して指示するメッセージ・データを更に含む、請求項２７記載の方法。
【請求項３６】
前記第1撮影要求信号は、前記第1ユーザが、前記第1通信デバイスに対する無線送信、上記第1ユーザにより操作可能なコンピュータに対する電子メール送信、および、上記ユーザにより操作可能なコンピュータによりアクセス可能なインターネット・ウェブ・サイトに対するインターネット送信を介して後時的に回収するために、前記第1ユーザの前記写真を記憶することをネットワークに対して指示するメッセージ・データを含む、請求項２７記載の方法。
【請求項３７】
前記第2通信デバイスが特定の地理的領域内に位置されるならば該第2通信デバイスによる写真の撮影を無効化するための地理的制限データを有する前記撮影要求信号を生成する段階を更に有する請求項２７記載の方法。
【請求項３８】
前記第2通信デバイスが特定の地理的領域内に位置されると共に該第2通信デバイスが前記地理的領域の定義区域内のピクチャを撮影すべく導向されるならば該第2通信デバイスによる写真の撮影を無効化するための地理的制限データを有する前記撮影要求信号を生成する段階を更に有する請求項２７記載の方法。
【請求項３９】
写真を撮影するための撮影応答モードにおいて前記第1通信デバイスにより実行され得る請求項２７記載の方法であって、
前記少なくとも一台の第2通信デバイスにより送信された第2撮影要求信号を受信する段階と、
前記第2撮影要求信号が受信されたときに、上記少なくとも一台の第2通信デバイスの第2ユーザを前記第1ユーザが写真撮影するために該第1ユーザに対してアラートする段階とを更に有する方法。
【請求項４０】
前記第1通信デバイスが前記撮影応答モードにあるか否かを決定する段階を更に有し且つ、
前記撮影要求信号を受信する前記段階は、前記第1通信デバイスが前記撮影応答モードにあるとの決定に応答して実行される、請求項３９記載の方法。
【請求項４１】
前記アラートは、可聴的アラート、可視的アラートおよび振動的アラートのうちの少なくともひとつである、請求項３９記載の方法。
【請求項４２】
前記第2撮影要求信号の受信に応答して該第2撮影要求信号が当該第1通信デバイスにより受信されたことを確認する確認信号を前記少なくとも一台の第2通信デバイスに対して生成する段階を更に有する請求項３９記載の方法。
【請求項４３】
前記第2撮影要求信号の受信に応答して撮影された写真を送信し且つ削除する段階を更に有する請求項３９記載の方法。
【請求項４４】
前記第2撮影要求信号の受信に応答して撮影された写真を該第2撮影要求信号内に提供された宛先アドレスに対して送信する段階と、
前記写真が送信された後に、該写真および前記宛先アドレスを削除する段階とを更に有する請求項３９記載の方法。
【請求項４５】
前記第2撮影要求信号の受信に応答して撮影された写真を該第2撮影要求信号内に提供された宛先アドレスに対して送信する段階と、
前記写真が送信された後に、該写真を削除する段階とを更に有する請求項３９記載の方法。
【請求項４６】
前記第1通信デバイスは前記撮影要求モードおよび前記撮影応答モードにおいて同時に動作可能である、請求項３９記載の方法。
【請求項４７】
前記第1通信デバイスは前記撮影要求モードであるか否かとは関係なく前記撮影応答モードで動作可能である、請求項３９記載の方法。
【請求項４８】
地理的制限データを備える前記撮影要求信号に応答して、前記第2通信デバイスが特定の地理的領域内に位置するとき写真の撮影を無効化する段階を更に有する請求項３９記載の方法。
【請求項４９】
地理的制限データを備える前記撮影要求信号に応答して、前記第2通信デバイスが特定の地理的領域内に位置されると共に該第2通信デバイスが上記地理的領域の定義区域内のピクチャを撮影すべく導向されるならば写真の撮影を無効化する段階を更に有する請求項３９記載の方法。
【請求項５０】
撮影応答モードにて動作可能なプログラムされた第1通信デバイスであって、
該第1通信デバイスに接続されたカメラと、
少なくとも一台の第2通信デバイスにより送信された撮影要求信号を受信すべく構成された受信器と、
前記撮影要求信号の受信に応答して、前記カメラにより前記少なくとも一台の第2通信デバイスの第2ユーザの写真を撮影するプログラム・コードとを備える、
プログラムされた第1通信デバイス。
【請求項５１】
前記プログラム・コードは前記撮影要求信号の受信に応答することで、前記カメラにより前記少なくとも一台の第2通信デバイスの前記第2ユーザの写真を撮影するためのアラートを前記第1通信デバイスの第1ユーザに対して生成する、請求項５０記載の第1通信デバイス。
【請求項５２】
前記第1通信デバイスが前記撮影応答モードにあるか否かを決定するプログラム・コードを更に備え、且つ、
前記受信器は、該第1通信デバイスが前記撮影応答モードにあるとの決定に応答して、前記少なくとも一台の第2通信デバイスにより送信された前記撮影要求信号を受信すべく構成される、請求項５０記載の第1通信デバイス。
【請求項５３】
前記カメラは前記第1通信デバイスに一体化される、請求項５０記載の第1通信デバイス。
【請求項５４】
前記カメラは前記第1通信デバイスと別体のユニットである、請求項５０記載の第1通信デバイス。
【請求項５５】
前記アラートは、可聴的アラート、可視的アラートおよび振動的アラートの内の少なくともひとつである、請求項５０記載の第1通信デバイス。
【請求項５６】
前記撮影要求信号の受信に応答して、該撮影要求信号が前記第1通信デバイスにより受信されたことを示す確認信号を前記少なくとも一台の第2通信デバイスに対して生成するプログラム・コードを更に備える、請求項５０記載の第1通信デバイス。
【請求項５７】
前記撮影要求信号の受信に応じて撮影された写真を送信し且つ削除するプログラム・コードを更に備える、請求項５０記載の第1通信デバイス。
【請求項５８】
前記撮影要求信号の受信に応答して撮影された写真を該撮影要求信号内に提供された宛先アドレスに対して送信するプログラム・コードと、
前記写真が送信された後に、該写真および上記宛先アドレスを削除するプログラム・コードとを更に備える、請求項５０記載の第1通信デバイス。
【請求項５９】
前記撮影要求信号の受信に応答して撮影された写真を該撮影要求信号内に提供された宛先アドレスに対して送信するプログラム・コードと、
前記写真が送信された後に、該写真を削除するプログラム・コードとを更に備える、請求項５０記載の第1通信デバイス。
【請求項６０】
前記撮影要求信号の受信に応答して撮影された写真を、該撮影要求信号内に提供された宛先アドレスであって当該第1通信デバイスの電話番号、電子メール・アドレスおよびインターネット・ウェブ・サイトの内から選択された宛先アドレスに対して送信するプログラム・コードと、
前記写真が送信された後に、該写真および前記宛先アドレスを削除するプログラム・コードとを更に備える、請求項５０記載の第1通信デバイス。
【請求項６１】
前記第1通信デバイスが位置する地理的領域を決定する全地球測位システム(GPS)と、
地理的制限データを備えた前記撮影要求信号に応答するプログラム・コードであって、前記第1通信デバイスが前記地理的制限データにより定義される地理的領域内に位置するとき前記カメラを無効化するためのプログラム・コードとを更に備える、請求項５０記載の第1通信デバイス。
【請求項６２】
前記第1通信デバイスが位置する地理的領域を決定する全地球測位システム(GPS)と、
前記カメラが写真を撮影するために配向される方向を決定するコンパスと、
地理的制限データを備えた前記撮影要求信号に応答するプログラム・コードであって、前記第1通信デバイスが前記地理的無効化メッセージにより定義される地理的領域内に位置され且つ前記第1通信デバイスが前記地理的領域の区域であって前記地理的制限データにより定義される区域内の写真を撮影すべく配向されるとき前記カメラを無効化するというプログラム・コードとを更に備える、請求項５０記載の第1通信デバイス。
【請求項６３】
前記第1通信デバイスは前記撮影要求モードおよび前記撮影応答モードにおいて同時に動作可能である、請求項５０記載の第1通信デバイス。
【請求項６４】
前記第1通信デバイスは前記撮影要求モードであるか否かとは関係なく前記撮影応答モードで動作可能である、請求項５０記載の第1通信デバイス。
【請求項６５】
写真を撮影する撮影応答モードで動作可能な第1通信デバイスにより実行される方法であって、
少なくとも一台の第2通信デバイスにより送信された撮影要求信号を受信する段階と、
前記撮影要求信号の受信に応答して、前記少なくとも一台の第2通信デバイスの第2ユーザを写真撮影する段階とを有する方法。
【請求項６６】
前記撮影要求信号が受信されたときに、前記少なくとも一台の第2通信デバイスの前記第2ユーザを前記第1通信デバイスの前記第1ユーザが写真撮影するために該第1ユーザに対してアラートする段階を更に有する請求項６５記載の方法。
【請求項６７】
前記第1通信デバイスが前記撮影応答モードにあるか否かを決定する段階を更に有し、且つ、
前記受信段階は、前記第1通信デバイスが前記撮影応答モードにあるとの決定に応答して実行される、請求項６５記載の方法。
【請求項６８】
前記アラートは、可聴的アラート、可視的アラートおよび振動的アラートのうちの少なくともひとつである、請求項６５記載の方法。
【請求項６９】
前記撮影要求信号の受信に応答して、該撮影要求信号が前記第1通信デバイスにより受信されたことを確認する確認信号を前記少なくとも一台の第2通信デバイスに対して生成する段階を更に有する請求項６５記載の方法。
【請求項７０】
前記撮影要求信号の受信に応答して撮影された写真を送信し且つ削除する段階を更に有する請求項６５記載の方法。
【請求項７１】
前記撮影要求信号の受信に応答して撮影された写真を該撮影要求信号内に提供された宛先アドレスに対して送信する段階と、
前記写真が送信された後に、該写真および前記宛先アドレスを削除する段階とを更に有する請求項６５記載の方法。
【請求項７２】
前記撮影要求信号の受信に応答して撮影された写真を該撮影要求信号内に提供された宛先アドレスに対して送信する段階と、
前記写真が送信された後に、該写真を削除する段階とを更に有する請求項６５記載の方法。
【請求項７３】
前記第1通信デバイスは前記撮影要求モードおよび前記撮影応答モードにおいて同時に動作可能である、請求項６５記載の方法。
【請求項７４】
前記第1通信デバイスは前記撮影要求モードであるか否かとは関係なく前記撮影応答モードで動作可能である、請求項６５記載の方法。
【請求項７５】
地理的制限データを備える前記撮影要求信号に応答して、前記第2通信デバイスが特定の地理的領域内に位置するとき写真の撮影を無効化する段階を更に有する請求項６５記載の方法。
【請求項７６】
地理的制限データを備える前記撮影要求信号に応答して、前記第2通信デバイスが特定の地理的領域内に位置すると共に該第2通信デバイスが前記地理的領域の定義区域内のピクチャを撮影すべく導向するとき写真の撮影を無効化する段階を更に有する請求項６５記載の方法。
【発明の詳細な説明】
【技術分野】
【０００１】
本発明は概略的に写真撮影法に関し、より詳細には、電気通信(telecommunications)を利用して写真(photograph)の撮影および送付を要求する方法およびシステムに関する。
【背景技術】
【０００２】
特にアジア太平洋の市場においてはカメラ付きの携帯電話機(mobile phone handset)が普及しており、このような普及は世界中に及びつつある。しかし、携帯電話機に内蔵されるものを含めて全てのカメラは本来的に、その有用性が限られている。特にカメラの所有者は、自分が撮影するピクチャに自分が同時に写る様には自分のカメラを操作し得ない。この制限を克服するために、カメラの所有者はそのカメラを別の人に渡し、ピクチャの撮影を頼むことがある。しかし斯かる別の人は多くの場合、信用できるか否かが概略的に不明な他人である。更に、カメラの所有者が望むピクチャを得るための該カメラの適切な操作法を他人が知らないこともある。
【０００３】
カメラの所有者が自分の入るピクチャの撮影を容易にするために利用し得る別の方法は、カメラを三脚などの取付け部材上にセットし、写真が撮られるべき場所にカメラを向け、所定の時間経過後にピクチャを撮影するためにカメラのタイマを設定し、且つ、写真が撮られるまでカメラの前でポーズを取ることである。しかしこのような方法の欠点は、カメラの設定中にその視野内に該カメラの被写体が存在しない状態ではカメラの適切な調節が困難なことである。更に、このような写真は不自然となる傾向がある。そして更に、携帯電話機に一体化されたカメラは典型的には、タイマを含まず、あるいは、三脚などの支持体上への取付け機能を有していない。
【０００４】
したがって依然として、対象者が自身の写真を獲得し得るだけでなく自然な写真を獲得し得る方法およびシステムの開発が求められている。
【発明の開示】
【０００５】
したがって本発明は、写真を要求する撮影要求モードにおいて第1ユーザにより操作可能であり、また選択的に、ピクチャを撮影する撮影応答モードにおいて動作可能な、携帯電話などのプログラムされた第1通信デバイスを提供する。上記撮影要求モードに在るときには、上記第1ユーザの写真が所望されることを表す撮影要求信号が、上記撮影応答モードで動作可能な第2通信デバイスに対して送信されることで、該第2通信デバイスの第2ユーザが上記第1ユーザを写真撮影することが要求される。
【０００６】
上記第1通信デバイスは好適には、上記撮影応答モードにおいても動作可能である。該撮影応答モードに在る間において上記第2通信デバイスから撮影要求信号を受信すると同時に、表示器は撮影要求信号が受信されたことを上記第1ユーザに対してアラートすることから、上記第1ユーザは上記第2通信デバイスの上記第2ユーザを写真撮影し得る。
【０００７】
本発明およびその利点の更に完全な理解のために、添付図面に関する以下の記述を参照されたい。
【発明を実施するための最良の形態】
【０００８】
以下の説明においては、本発明の完全な理解のために多くの特定の詳細が示される。しかし当業者であれば、本発明がこのような特定の詳細なしでも実施され得ることは明らかであろう。他の場合、不必要な詳細において本発明を曖昧としない様に、公知要素は概略図もしくはブロック図の形態で示される。更に、殆どの部分においてカメラ、(たとえば携帯電話などの)通信デバイスおよびそれらの組み合わせなどに関する詳細は省略される、と言うのも、このような詳細は本発明の完全な理解を得るために必要とは思われず且つ当業者の通常の技術範囲内と思われるからである。
【０００９】
別段の表示がなければ、本明細書中に記述される全ての機能は、このような機能を実施すべくコード化されたコンピュータ・プログラム・コード、ソフトウェア、集積回路などのコードに従うコンピュータ、電子データ・プロセッサ、マイクロプロセッサなどのプロセッサにより実施されることを銘記されたい。更に当業者であれば、全てのこのようなコードの設計、開発および実施の詳細は本発明の本記述を吟味すれば明らかであろう。
【００１０】
図１を参照すると参照番号100は概略的に、本発明の特徴を具現する通信デバイスが利用され得るという状況を表している。詳細には、図１に示された状況100は、第1通信デバイス104を有する第1ユーザ102と、第2通信デバイス108を有する第2ユーザ106とを含んでいる。第1および第2通信デバイス104および108は、携帯電話、通信機、マルチメディア電話機、パーソナル・デジタル・アシスタント(PDA)、それらの組み合わせなどから成り、それらの少なくともひとつに対しては(以下において図２に関して更に記述される)カメラが一体化されもしくは作用的に接続され得る。
【００１１】
図２は、(図４に関して以下で更に論じられる)“撮影要求(celebrity)”モードで動作する際の通信デバイス104および108を好適に構成する通信デバイス104の詳細を示している。これに応じて、通信デバイス104は、プロセッサ202と、該プロセッサ202に接続されたメモリ204とを含む。メモリ204は好適には、プロセッサ202により実行され得る命令から成るプログラム・コード206を記憶する。プロセッサ202に対しては、(たとえば所定個数のキーなどの)ユーザ入力インタフェース208、および、(たとえばディスプレイ画面などの)ユーザ出力インタフェース210が作用的に接続される。またプロセッサ202に対しては、該プロセッサ202により生成された信号を送信するアンテナなどの送信器212が接続される。選択的に通信デバイス104は、該第1通信デバイス104を識別する視覚的表示を第2通信デバイス108の第2ユーザ106に対して提供すべくプロセッサ202に接続された発光ダイオード(LED)などの表示器214も含む。
【００１２】
図３は、(図４に関して以下で更に論じられる)“撮影応答(paparazzi)”モードで動作する際の通信デバイス104および108を好適に構成する(“後”側から見た)通信デバイス108の詳細を示している。これに応じて通信デバイス108は、図２に関して上述された構成要素を含むと共に、プロセッサ202に接続されたカメラ302を付加的に含み、且つ、プログラム・コード206はカメラ302の動作を含んだプログラム・コード306へと修正される。選択的に、通信デバイス108の位置と、写真の撮影のためにカメラ302が配向される方向とをプロセッサ202に対して示すために、該プロセッサ202に対しては全地球測位システム(GPS)304およびコンパス308も接続される。尚、本明細書中で使用される“写真(photograph)”という語句は静止的および動的なイメージおよびピクチャの両方を表現すべく使用されることを銘記されたい。
【００１３】
本発明に依れば通信デバイス104および108を夫々構成するプログラム・コード206および306は、本明細書において更に記述されるような“撮影要求”モードおよび選択的に“撮影応答”モードなどの多数の異なるモードにおいて夫々の通信デバイスを相互に協働させ得る。第1通信デバイス104が例示する撮影要求モードにおいて、該第1通信デバイス104におけるプログラム・コード206は、第1ユーザ102が写真撮影を所望していることを表す撮影要求信号(celebrity signal)を生成して第2通信デバイス108に送信する。上記撮影要求信号は好適には、従来のセルラネットワーク技術などの無線周波(RF)技術を用いて、または代替的に、ブルートゥース（登録商標）技術などの直接的なローカル通信技術により、送信される。
【００１４】
第1通信デバイス102におけるプログラム・コード206は選択的に、撮影要求信号に対して第1ユーザ102のイメージなどの所定数の付加的要素を提供し得ることから、第2通信デバイス108の第2ユーザ106は第1ユーザ102を容易に位置決定して写真撮影し得る。そして更に第1通信デバイス104は、撮影要求信号に関して好適に起動されて点滅する発光ダイオード(LED)214もしくは画面ディスプレイ210などの視覚的表示器であって、第2ユーザ106に対して第1ユーザ102を識別する視覚的信号を生成し得る視覚的表示器を含み得る。
【００１５】
上記撮影要求信号はまた、第2ユーザ106により撮られた第1ユーザ102の写真を、該第1ユーザ102が後時的に回収するために送信されるべき(図４に関して以下で更に記述される)宛先アドレス408も含み得る。一例として上記宛先アドレスは、第1通信デバイス104の電話番号、好適には第1ユーザ102により操作され得るコンピュータによりアクセス可能な電子メール・アドレス、好適には第1ユーザ102により操作され得るコンピュータによりアクセス可能なインターネットのウェブ・サイトのアドレス、または、それらの組み合わせなどから選択された番号もしくはアドレスを定義し得る。
【００１６】
上記撮影要求信号はまた選択的に、該撮影要求信号に応答して第2通信デバイス108のカメラ302を以て第2ユーザ106により所定時間間隔当たりに撮影され得るピクチャの枚数を限定するメッセージ・データも含み得る。上記所定時間は、好適には第1ユーザ102により設定されると共に、一例として且つ限定的なものとしてで無く、30分間もしくは１時間とされ得る。上記撮影要求信号はまた選択的に、写真が宛先アドレスに対して送信された後に写真および／または宛先アドレスが削除されるべきことを示すメッセージ・データも含み得る。上記撮影要求信号はまた代替的に、ユーザ102により指定された期間が過ぎるまで写真および／または宛先アドレスが削除されるべきでないことを示すメッセージ・データも含み得る。
【００１７】
そして更に上記撮影要求信号は選択的に、写真が撮影され得ない地理的領域、および／または、地理的領域における区域を指定する地理的無効化メッセージ・データ(geographic disabling message data)を含み得る。
【００１８】
そして更に上記撮影要求信号は選択的に、該撮影要求信号が送信される(不図示の)セルラネットワークに対し、第2通信デバイス108が写真を第1ユーザ102に送信するのに必要な通信時間に関して第1通信デバイス104に課金することを指示するメッセージ・データを含み得る。
【００１９】
第2通信デバイス108が例示する撮影応答モードにおいて、第1通信デバイス102により送信された撮影要求信号は第2通信デバイス106により受信される。第2通信デバイス108は好適には、上記撮影要求信号の受信に応答するプログラム・コードであって、第1通信デバイス104の第1ユーザ102の写真を撮るべく第2ユーザ106に対してアラートする(警報を与える)プログラム・コードを備える。一例として、第2通信デバイス106により生成される上記アラートは、可聴的アラート、可視的アラート、振動的アラート、それらの組み合わせなどとされ得る。もし撮影要求信号と共に第1ユーザ102のイメージが提供されるなら、プログラム・コード306はこのようなイメージを通信デバイス108のディスプレイ画面上に表示して第2ユーザ106が第1ユーザ102を識別することを支援することにより、上記アラートを補足する。
【００２０】
第2通信デバイス106は好適には、第1通信デバイス102から受信した撮影要求信号の受信に応答するプログラム・コード306であって、撮影要求信号が第2通信デバイス10により受信されたことを確認する確認信号を生成して第1通信デバイス102に返信するプログラム・コード306を更に備える。上記確認信号は好適には、たとえば従来のセルラネットワークRF技術、または、ブルートゥース（登録商標）技術などの直接的なローカル通信技術などの様な、撮影要求信号を送信するときに第1通信デバイス102により使用されるのと同一の媒体を用いて送信される。
【００２１】
第2通信デバイス106のプログラム・コード306は好適には、当該撮影要求信号の受信に応答して撮影された写真が送信されるべき宛先アドレスを撮影要求信号が含むか否かを決定する命令であって、もしそうであれば上記撮影要求信号から斯かる宛先アドレスを読取るための命令を更に備える。代替的に、もし撮影要求信号が宛先アドレスを含まなければ、第2通信デバイス108は写真を第1通信デバイス104に対して送信し得る。
第2通信デバイス106のプログラム・コード306は好適には、撮影要求信号の他の要素に応答する命令も備える。たとえばプログラム・コード306は、所定時間間隔当たりに撮影され得る写真の枚数を限定するメッセージ・データ、および、宛先アドレスに対して写真が送信された後に写真および／または宛先アドレスを削除するという選択的なメッセージ・データを撮影要求信号が含むか否かを決定する命令であって前者のメッセージ・データを有する撮影要求信号に対して応答を行うための命令を備え得る。
【００２２】
そして更に第2通信デバイス108は、該第2通信デバイス108が位置する地理的領域を決定する全地球測位システム(GPS)304と、地理的制限データを含む撮影要求信号に応答するプログラム・コード306の関連命令であって、撮影要求信号の地理的制限データにより定義された特定の地理的領域内に第2通信デバイス108が位置されるならカメラ302を無効化する関連命令とを選択的に備える。第2通信デバイス108はまた、写真の撮影のためにカメラ302が配向される方向を決定するコンパス308と、地理的制限データを含む撮影要求信号に応答するプログラム・コード306の関連命令であって、撮影要求信号の地理的制限データにより定義された上記の地理的領域の区域内でピクチャを撮影すべくカメラ302が配向されたならばカメラ302を無効化する関連命令とを含み得る。
【００２３】
第2通信デバイス106のプログラム・コード306はまた好適には、第1ユーザ102の写真の送信のために第2通信デバイス108が要する通信時間に関して第1通信デバイス104の所有者に課金することを指示するメッセージ・データを撮影要求信号が含むか否かを決定する命令であって、もしそうならばそのことを第2ユーザ106に対して表示する命令も備える。
第1および第2通信デバイス104および108は夫々好適には上記の特徴のひとつ以上もしくは全てと共に、撮影要求モードおよび撮影応答モードの両方で同時に動作可能であり、又は、互いに無関係に動作可能である。代替的に第1および第2通信デバイス104および108は、上記の特徴のひとつ以上もしくは全てと共に、撮影要求モードでのみ又は撮影応答モードでのみの動作に限定され得る。上記の各モードおよび特徴の選択は、通信デバイスのディスプレイ画面210上のメニューなどの、当業者が熟知していることから本明細書中において更に詳細には記述されない従来技術を用いてユーザにより選択可能であることは理解される。
【００２４】
図４を参照すると、作動時において第1ユーザ102が自身の写真の撮影を所望したとき、ステップ402において該ユーザは第1通信デバイス104を起動することで撮影要求信号を生成して第2通信デバイス106に送信する。ユーザ102は、たとえばディスプレイ画面210上に表示されたメニューを介し、写真が送信されるべき宛先アドレスであって第1通信デバイス104の電話番号などの既定値に事前設定され得るという宛先アドレスなどの所定数の異なる要素を撮影要求信号が含むことを特定し得る。ユーザ102はまた、一例として該第1ユーザ102のイメージなどの様に第2ユーザ106が該第1ユーザを識別することを支援する情報を撮影要求信号内に特定し得る。上記第1通信デバイスはまた、点滅LEDまたはカラー・ディスプレイなどの他の識別情報を提供するためにも起動され得る。ユーザ102は更に、当該撮影要求信号に応答して第2通信デバイス108により所定時間間隔当たりに撮影され得る写真の枚数を限定するメッセージ・データを撮影要求信号が備えることを特定し得る。ユーザ102は更に、該第1ユーザ102の写真の送信のために第2通信デバイス108が要する通信時間に関して該ユーザ102に課金することをネットワークに指示するメッセージ・データを撮影要求信号が備えることを特定し得る。ユーザ102は更に、撮影要求信号に含まれる地理的制限データにより定義された地理的領域内に第2通信デバイス108が位置されると共に、選択的に、指定された地理的領域の区域であって当該地理的制限データにより定義された区域内のピクチャを撮影すべく該第2通信デバイスが配向されているならば第2通信デバイス108のカメラを無効化するための、地理的制限データを撮影要求信号が備えることを特定し得る。
【００２５】
撮影要求信号の受信時に第2通信デバイス108は好適には第2ユーザ106に対し、カメラ302により写真を撮影させるためのアラートを生成する。第2通信デバイス108はまた撮影要求信号が第1通信デバイスにより受信されたことを表す確認信号であって第1通信デバイスに対する確認信号も生成可能であり、これに応答して第1通信デバイス104は選択的に撮影要求信号の送信を中断し得る。
【００２６】
上記アラートに応じ、図４のステップ404にて第2ユーザ106は好適には、カメラ302により第1ユーザ102の写真撮影を試行する。もし撮影要求信号が地理的制限データを含むならば第2通信デバイス108はGPS304および／またはコンパス308によりチェックすることで、該第2通信デバイス108およびカメラ302が制限された地理的領域内に無く、且つ／又は、選択的に、上記地理的領域の制限区域内での写真の撮影に対して配向されていないことを確実とする。写真の撮影を規制する地理的制限がなければ、ステップ406にて第2通信デバイス108は上記撮影要求信号により提供される宛先アドレス408にて写真を第1ユーザに送信する。代替的に、写真の撮影を規制する地理的制限がなくても、第2通信デバイス108は写真の撮影を無効化し得る。もし撮影要求信号内に宛先アドレス408が与えられていなければ、写真は好適には第1通信デバイス104に対して送信される。その場合、写真、および／または、写真が送信される宛先アドレス408は好適には、写真が送信された後に第2通信デバイス108から削除される。代替的に上記宛先アドレスは、撮影要求信号において指定された所定時間に亙り第2通信デバイス108内での残存が許容され得る。
【００２７】
本発明を使用することにより、(たとえば第1ユーザ102などの)対象者は、自身の写真を獲得し得るだけでなく、自然な写真を獲得し得る。更に対象者によって、写真の撮影が制限される場所、写真が送信される箇所、撮影される写真の枚数、および、通信時間に対する支払い者などの、多数のオプションを指定することができる。
【００２８】
本発明は多くの形態および実施例を採用し得ることは理解される。故に上記においては、発明の精神もしくは有効範囲から逸脱せずに幾つかの変更が為され得る。たとえば上記地理的制限データは土地所有者から全ての通信デバイスに対して送信されることで、指定された地理的領域またはこのような地理的領域の区域における写真の撮影を制限し得る。別の例において通信デバイス108およびカメラ302は、相互に一体化されるのではなく相互に別体的とされ、電気ケーブルもしくは赤外線接続を介して作用的に接続され得る。更に、一体化されたユニットであるか相互に接続された別体的な複数のユニットであるかに関わらず通信デバイス108およびカメラ302は、たとえば安全監視のために、且つ／又は、ユーザ106により操作されるのではなく遊園地の人々の写真を手動的に且つ／又は自動的に撮影するために、固定的に取付けられ得る。
【００２９】
本発明の好適実施例の幾つかに関して本発明を記述してきたが、開示された実施例は本質的に限定的ではなく例示的であり、且つ、上記の開示においては広範囲な変更、改変、修正および置換が企図されており、一定の場合に本発明の幾つかの特徴は他の特徴の対応使用なしで採用され得ることを銘記されたい。当業者によればこのような変更および改変は、好適実施例の上記記述を吟味すれば自明かつ好適とみなされ得よう。したがって添付の各請求項は、広範囲に、且つ、本発明の有効範囲と一致して解釈されるべきことは理解される。
【図面の簡単な説明】
【００３０】
【図１】本発明の特徴を具現する状況における通信デバイスのユーザを示す図である。
【図２】図１の代表的な通信デバイスの前面図である。
【図３】図２の代表的な通信デバイスの背面図である。
【図４】本発明の事象を具現する高レベルの事象シーケンス図である。
【図１】
2006516844.tif 000003
【図２】
2006516844.tif 000004
【図３】
2006516844.tif 000005
【図４】
2006516844.tif 000006
【手続補正書】
【提出日】平成17年10月5日(2005.10.5)
【手続補正１】
【補正対象書類名】特許請求の範囲
【補正対象項目名】請求項１
【補正方法】変更
【補正の内容】
【請求項１】
ユーザにより撮影要求モードにて操作可能な第1通信デバイスと、少なくとも１台の第2通信デバイスと、を有し、該第2通信デバイスは通信手段及び第2デバイス側のカメラを有する、通信システムにおいて動作可能な、プログラムされた前記第1通信デバイスであって、
前記第1通信デバイスが前記撮影要求モードにあるか否かを決定するプログラム・コードと、
前記第1通信デバイスが前記撮影要求モードにあるとの決定に応答して、前記ユーザの少なくとも一枚の写真が所望されることを示す第1撮影要求信号を生成するプログラム・コードと、
前記第1撮影要求信号を少なくとも一台の第2通信デバイスに対して送信すべく構成された送信器と、
を備える、プログラムされた第1通信デバイス。
【手続補正２】
【補正対象書類名】特許請求の範囲
【補正対象項目名】請求項１２
【補正方法】変更
【補正の内容】
【請求項１２】
前記撮影要求信号を生成する前記プログラム・コードは、地理的領域を定義する地理的制限データであって該地理的領域内に前記第2通信デバイスが位置され且つ該第2通信デバイスが該地理的領域の区域であって該地理的制限データにより定義される区域内のピクチャを撮影すべく配向されるとき該第2通信デバイスの前記カメラを無効化するための地理的制限データを、前記撮影要求信号内に含めるプログラム・コードを更に備える、請求項１記載の第1通信デバイス。
【手続補正３】
【補正対象書類名】特許請求の範囲
【補正対象項目名】請求項１３
【補正方法】変更
【補正の内容】
【請求項１３】
前記ユーザは第1ユーザであり、
前記第1通信デバイスは更に撮影応答モードにて動作可能であり、且つ、
該第1通信デバイスは、
該第1通信デバイスに接続された、第1デバイス側のカメラと、
前記少なくとも一台の第2通信デバイスにより送信された第2撮影要求信号を受信すべく構成された受信器と、
前記第2撮影要求信号の受信に応答して、前記第1デバイス側のカメラにより前記少なくとも一台の第2通信デバイスの第2ユーザの写真を撮影するためのアラートを前記第1ユーザに対して生成するプログラム・コードと、
を更に備える、請求項１記載の第1通信デバイス。
【手続補正４】
【補正対象書類名】特許請求の範囲
【補正対象項目名】請求項１５
【補正方法】変更
【補正の内容】
【請求項１５】
前記第1デバイス側のカメラは前記第1通信デバイスに一体化される、請求項１３記載の第1通信デバイス。
【手続補正５】
【補正対象書類名】特許請求の範囲
【補正対象項目名】請求項２３
【補正方法】変更
【補正の内容】
【請求項２３】
前記第1通信デバイスが位置する地理的領域を決定する全地球測位システム(GPS)と、
地理的制限データを備えた前記第2撮影要求信号に応答するプログラム・コードであって、前記第1通信デバイスが前記地理的制限データにより定義される地理的領域内に位置するとき前記第1デバイス側のカメラを無効化するためのプログラム・コードとを更に備える、請求項１３記載の第1通信デバイス。
【手続補正６】
【補正対象書類名】特許請求の範囲
【補正対象項目名】請求項２７
【補正方法】変更
【補正の内容】
【請求項２７】
写真を要求する第1ユーザにより撮影要求モードにて操作可能な第1通信デバイスと、少なくとも１台の第2通信デバイスと、を有し、該第2通信デバイスは通信手段及び第2デバイス側のカメラを有する、通信システムにおいて動作可能な、前記第1通信デバイスにより実行される方法であって、
前記第1ユーザの写真が所望されることを表す第1撮影要求信号を生成する段階と、
前記第1撮影要求信号を前記少なくとも一台の第2通信デバイスに対して送信する段階と、
を有する方法。
【手続補正７】
【補正対象書類名】特許請求の範囲
【補正対象項目名】請求項３３
【補正方法】変更
【補正の内容】
【請求項３３】
前記第1撮影要求信号を生成する前記の段階は、前記第2通信デバイスの第2ユーザが前記第1ユーザを識別するための該第1ユーザのイメージを前記第1撮影要求信号に添付する段階を含む、請求項２７記載の方法。
【手続補正８】
【補正対象書類名】特許請求の範囲
【補正対象項目名】請求項３６
【補正方法】変更
【補正の内容】
【請求項３６】
前記第1撮影要求信号は、前記第1ユーザが、前記第1通信デバイスに対する無線送信、前記第1ユーザにより操作可能なコンピュータに対する電子メール送信、および、前記第1ユーザにより操作可能なコンピュータによりアクセス可能なインターネット・ウェブ・サイトに対するインターネット送信を介して後時的に回収するために、前記第1ユーザの前記写真を記憶することをネットワークに対して指示するメッセージ・データを含む、請求項２７記載の方法。
【国際調査報告】
2006516844.tif 000007